(57)【要約】【課題】ゲル化反応により試料中の目的物質を測定するに当たり、ゲル化反応を均一に且つ安定的に生じさせながらゲル粒子を生成する。【解決手段】試料Ｓが注入収容されると共に少なくとも一部に光が透過する透過部を有する筒状の試料セル１と、この試料セル１内に予め収容され且つ試料Ｓ中の目的物質と反応してゲル化する試薬２と、試料セル１に予め収容され且つ注入された試料Ｓ及び試薬２からなる混合溶液Ｗ全体がゲル化するのを抑制するように混合溶液Ｗを撹拌する撹拌部材３と、試料セル１内に前記試薬２及び撹拌部材３が収容された状態で試料セル１の開口を密封すると共に密封後に試薬セル１内に試料Ｓが注入可能な密封部材４とを備え、試料セル１内に試料Ｓが注入された時点で撹拌部材３による撹拌動作を開始し、前記混合溶液Ｗ全体がゲル化するのを抑制した状態でゲル粒子を生成させる。【選択図】図１
2010085276.tif 000002
【特許請求の範囲】
【請求項１】
ゲル化反応によって試料中の目的物質を粒子化して測定するゲル粒子測定装置に用いられ、ゲル粒子を生成するゲル粒子生成器具であって、
試料が注入収容されると共に少なくとも一部に光が透過する透過部を有する筒状の試料セルと、
この試料セル内に予め収容され且つ試料中の目的物質と反応してゲル化する試薬と、
前記試料セルに予め収容され且つ注入された試料及び前記試薬からなる混合溶液全体がゲル化するのを抑制するように前記混合溶液を撹拌する撹拌部材と、
前記試料セル内に前記試薬及び前記撹拌部材が収容された状態で前記試料セルの開口を密封すると共に密封後に試薬セル内に試料が注入可能な密封部材とを備え、
試料セル内に試料が注入された時点で撹拌部材による撹拌動作を開始し、前記混合溶液全体がゲル化するのを抑制した状態でゲル粒子を生成させるようにしたことを特徴とするゲル粒子生成器具。
【請求項２】
請求項１記載のゲル粒子生成器具において、
試薬セルの開口縁に取り付けられて密封部材を保持する保持カバーを有することを特徴とするゲル粒子生成器具。
【請求項３】
ゲル化反応によって試料中の目的物質を粒子化して測定するゲル粒子測定装置であって、
予め決められた測定ステージに配設され且つ試薬セル内に試料が注入された請求項１記載のゲル粒子生成器具と、
前記測定ステージのうち試料セル外部に設けられ、試料セル内の撹拌部材を回転させることで試料及び試薬からなる混合溶液全体がゲル化するのを抑制するように前記混合溶液を撹拌する撹拌駆動手段と、
前記試料セルの透過部の外部に設けられ、前記試料セル内の試料及び試薬からなる混合溶液に対してコヒーレントな光を照射させるコヒーレント光源と、
このコヒーレント光源からの光のうち前記試料セル内の試料及び試薬からなる混合溶液を通過した光を検出する光検出手段と、
この光検出手段の検出出力に基づいて光変動成分を計測する光変動計測手段と、
この光変動計測手段の計測結果に基づいて前記混合溶液内のゲル粒子の生成状態を判別するゲル粒子生成判別手段とを備えたことを特徴とするゲル粒子測定装置。
【請求項４】
請求項３記載のゲル粒子測定装置において、
ゲル粒子生成器具の試料セルは一方から他方にかけて光が透過する透過部を有し、
前記光検出手段は前記試料セルの透過部の外部でコヒーレント光源の反対側に設けられ、前記試料セル内の試料及び試薬からなる混合溶液中を透過した光を検出するものであることを特徴とするゲル粒子測定装置。
【請求項５】
請求項４記載のゲル粒子測定装置において、
光検出手段と試料セルとの間には、ゲル粒子で散乱した位相のずれた散乱光のうち光検出手段に向かう成分が除去される散乱光除去手段を備えていることを特徴とするゲル粒子測定装置。
【請求項６】
請求項３ないし５いずれかに記載のゲル粒子測定装置において、
測定ステージに配設された資料セル全体が予め決められた一定の温度に保たれるように温度調節可能な温度調節手段を備えていることを特徴とするゲル粒子測定装置。
【発明の詳細な説明】
【技術分野】
【０００１】
本発明は、ゲル化反応によって測定対象の試料中のエンドトキシンやβ−D−グルカンなどの目的物質を粒子化して測定するゲル粒子測定装置に用いられ、ゲル粒子を生成する上で有効なゲル粒子生成器具及びこれを用いたゲル粒子測定装置に関する。
【背景技術】
【０００２】
エンドトキシン（細胞内毒素）と呼ばれるものは、主としてグラム染色に染まらない（グラム陰性）細菌類の菌体の破片で、その成分はリポポリサッカライドと呼ばれる脂質多糖類具体的には、リピドＡ（Lipid Ａ）と呼ばれる脂質と多糖鎖が２−ケト−３−デオキシオクトン酸（ＫＤＯ）を介して結合したリポ多糖（ＬＰＳ）であるが、そこに含まれるリピドＡ（Lipid Ａ）と呼ばれる脂質構造部分が、細胞の受容体と結合して炎症を引き起こし、多くの場合様々な重篤な臨床症状を引き起こす。このように、エンドトキシンは、敗血症や菌血症という致死率の高い臨床症状の原因となる物質であるため、体内に入ったエンドトキシンの推定をすることは臨床的に要求の高いことである。
また、医薬品（注射剤等）や医療用具（血管カテーテル等）はエンドトキシンによる汚染がないこと（パイロジェンフリー）が重要であり、細菌を用いて調製した医薬品（組み換えタンパク質、遺伝子治療に用いるＤＮＡ等）ではエンドトキシンを完全に除去することが不可欠になっている。
【０００３】
このエンドトキシンの除去確認、あるいは救急医学における計測は、測定試料数の多さばかりでなく、救命治療という目的にかなった迅速性が求められている。
敗血症などの治療のため、エンドトキシン値を計ろうとする研究は古くよりなされ、カブトガニ（Limulus）のアメーバ状血球成分に含まれる因子群が、エンドトキシンに特異的に反応し、ゲル化することが発見されてから、このリムルスの水解物（Limulus Amebocyte Lysate；ＬＡＬ試薬又はリムルス試薬）を用いてエンドトキシンの定量をする試みがなされている。
【０００４】
最初にリムルス試薬を使った測定法は、単に試料となる患者の血漿を混合して静置し、一定時間後に転倒してゲル化の有無を溶液が固まることで確認し、ゲル化を起こすための最大希釈率でエンドトキシン量を推定する所謂ゲル化法と呼ばれるものであった。
その後、ゲル化反応の過程における濁度増加に着目し、光学的な計測方法を用いた濁度計で、ゲル化反応に伴う濁度変化によりエンドトキシン濃度を測定する比濁時間分析法が知られている。
また、リムルス試薬による反応過程の最終段階でコアギュロゲン（Coagulogen）がコアグリン（Coagulin）に転換するゲル化反応を合成基質の発色反応に置き換えた発色合成基質法も既に知られている。これは、凝固過程における凝固前駆物質（コアギュロゲン：Coagulogen）の代わりに発色合成基質（Boc-Leu-Bly-Arg-p-ニトロアリニド）を加えることにより、その加水分解でp-ニトロアニリンが遊離され、その黄色発色の比色によりエンドトキシン濃度を測定するものである。
【０００５】
更に、従来におけるゲル化反応測定装置若しくはこれに関連する測定装置としては、例えば特許文献１，２に示すものが挙げられる。
特許文献１は、ゲル化反応測定装置に関するものではないが、血中の血小板が凝集して塊として成長する過程につき、血小板の凝集塊の大きさ、数を測定するものであり、試料セル内の試料に対してレーザ光源からの照射光を照射させ、血小板で９０度側方に散乱した散乱光の一部を光検出器にて検出し、この検出結果に基づいて血小板の凝集塊の大きさ、数を測定するものである。
また、特許文献２は、比濁時間分析法を用いたゲル化反応測定装置に関するものであり、検体（試料）とリムルス試薬とを混合させた混合液の透過光強度の経時変化を測定し、所定時間における変化量から検体のエンドトキシン濃度を測定するものである。
【０００６】
更に、ゲル化反応を利用した測定技術は、前述したエンドトキシンのみならず、β−D−グルカン（β−D−glucan）などの測定にも利用される。
β−D−グルカン（β−D−glucan）は真菌に特徴的な細胞膜を構成しているポリサッカライド（多糖体）である。このβ−D−グルカンを測定することにより、カンジダやアスペルギルス、クリプトコッカスのような一般の臨床でよく見られる真菌のみならず、まれな真菌も含む広範囲で真菌感染症のスクリーニングなどで有効である。
このβ−D−グルカンの測定においても、カブトガニの血球抽出成分がβ−D−グルカンによってゲル化することが利用されており、上述したゲル化法や比濁時間分析法、発色合成基質法によって測定される。
エンドトキシンやβ−D−グルカンの測定手法には共通点があり、例えば略同様の測定ハードウェアを用い、カブトガニの血球抽出成分中からFactor G成分を除くことによりエンドトキシンに選択的なゲル化反応や発色反応が測定でき、また、試料中のエンドトキシンに前処理により不活性化することにより、β−D−グルカンに選択的なゲル化反応や発色反応を測定することが可能である。
【０００７】
【特許文献１】特許第３１９９８５０号公報（実施例，図１）
【特許文献２】特開２００４−９３５３６号公報（発明の実施の形態，図３）
【発明の開示】
【発明が解決しようとする課題】
【０００８】
しかしながら、従来のゲル化法、比濁時間分析法及び発色合成基質法にあっては、次のような不具合がある。
ゲル化法及び比濁時間分析法は、いずれもゲルが生成するのに低濃度では約９０分以上という長時間を要する。すなわち、反応溶液のゲル化時間は、測定対象の試料中の目的物質の濃度に比例するが、ゲル化法及び比濁時間分析法は共に感度の点から正確なゲル化開始時間などが検出できないため、ゲル化終了までの時間から反応量を算出してゲル化時間の目安としている。
例えば比濁時間分析法を例に挙げると、比濁時間分析法は、変化の始まる最初のレベルと変化の行き着くレベルとについては分かるが、夫々の変化の始まる時間や終わりの時間が分かり難く、最初と最後のレベルの間の一定レベルの変化（濁度の増加）を測ることで、ゲル化全体の変化観察に換えるという定量法として確立されたものである。しかし、低濃度のエンドトキシンになると、系全体のゲル化が遷延し、それにつれて観測する濁度変化も遅くなることから測り難くなり、その分、感度が必然的に鈍くなってしまう。
従って、ゲル化法及び比濁時間分析法は共に救急を要する場合や多数の検体を測定するのに適した方法とは言い難い。更に、比濁時間分析法ではエンドトキシンとは無関係の非特異的濁りが生ずることがあり、測定精度に欠ける懸念がある。また、ゲル化法の測定限界濃度は３pg/ml、比濁時間分析法の測定限界濃度は１pg/ml程度である。
尚、ゲル化反応測定装置に適用される比濁時間分析法として、仮に特許文献１に示す散乱測光法を適用したとしても、ゲル化全体の変化観察に換えた定量法である以上、上述した問題は解決し得ない。
一方、発色合成基質法はゲル化法及び比濁時間分析法に比べて測定時間が約３０分程度と短時間であるが、偽陽性反応が生ずる場合があり、特異度の高い測定を行うことが難しく、また、測定準備が煩雑であり、測定限界濃度も３pg/mlと比濁時間分析法に劣る。
【０００９】
本発明は、ゲル化反応により試料中の目的物質を測定するに当たり、ゲル化反応を均一に且つ安定的に生じさせながらゲル粒子を生成することができるゲル粒子生成器具及びこれを用いたゲル粒子測定装置を提供するものである。
【課題を解決するための手段】
【００１０】
請求項１に係る発明は、ゲル化反応によって試料中の目的物質を粒子化して測定するゲル粒子測定装置に用いられ、ゲル粒子を生成するゲル粒子生成器具であって、試料が注入収容されると共に少なくとも一部に光が透過する透過部を有する筒状の試料セルと、この試料セル内に予め収容され且つ試料中の目的物質と反応してゲル化する試薬と、前記試料セルに予め収容され且つ注入された試料及び前記試薬からなる混合溶液全体がゲル化するのを抑制するように前記混合溶液を撹拌する撹拌部材と、前記試料セル内に前記試薬及び前記撹拌部材が収容された状態で前記試料セルの開口を密封すると共に密封後に試薬セル内に試料が注入可能な密封部材とを備え、試料セル内に試料が注入された時点で撹拌部材による撹拌動作を開始し、前記混合溶液全体がゲル化するのを抑制した状態でゲル粒子を生成させるようにしたことを特徴とするゲル粒子生成器具である。
請求項２に係る発明は、請求項１に係るゲル粒子生成器具において、試薬セルの開口縁に取り付けられて密封部材を保持する保持カバーを有することを特徴とするゲル粒子生成器具である。
【００１１】
請求項３に係る発明は、ゲル化反応によって試料中の目的物質を粒子化して測定するゲル粒子測定装置であって、予め決められた測定ステージに配設され且つ試料セル内に試料が注入された請求項１に係るゲル粒子生成器具と、前記測定ステージのうち試料セル外部に設けられ、試料セル内の撹拌部材を回転させることで試料及び試薬からなる混合溶液全体がゲル化するのを抑制するように前記混合溶液を撹拌する撹拌駆動手段と、前記試料セルの透過部の外部に設けられ、前記試料セル内の試料及び試薬からなる混合溶液に対してコヒーレントな光を照射させるコヒーレント光源と、このコヒーレント光源からの光のうち前記試料セル内の試料及び試薬からなる混合溶液を通過した光を検出する光検出手段と、この光検出手段の検出出力に基づいて光変動成分を計測する光変動計測手段と、この光変動計測手段の計測結果に基づいて前記混合溶液内のゲル粒子の生成状態を判別するゲル粒子生成判別手段とを備えたことを特徴とするゲル粒子測定装置である。
請求項４に係る発明は、請求項３に係るゲル粒子測定装置において、ゲル粒子生成器具の試料セルは一方から他方にかけて光が透過する透過部を有し、前記光検出手段は前記試料セルの透過部の外部でコヒーレント光源の反対側に設けられ、前記試料セル内の試料及び試薬からなる混合溶液中を透過した光を検出するものであることを特徴とするゲル粒子測定装置である。
請求項５に係る発明は、請求項４に係るゲル粒子測定装置において、光検出手段と試料セルとの間には、ゲル粒子で散乱した位相のずれた散乱光のうち光検出手段に向かう成分が除去される散乱光除去手段を備えていることを特徴とするゲル粒子測定装置である。
請求項６に係る発明は、請求項３ないし５いずれかに係るゲル粒子測定装置において、測定ステージに配設された資料セル全体が予め決められた一定の温度に保たれるように温度調節可能な温度調節手段を備えていることを特徴とするゲル粒子測定装置である。
【発明の効果】
【００１２】
請求項１に係る発明によれば、ゲル化反応により試料中の目的物質を測定するに当たり、ゲル化反応を均一に且つ安定的に生じさせながら、ゲル粒子を生成することができる。
請求項２に係る発明によれば、試薬セルの開口縁から密封部材が不必要に外れることを有効に防止することができる。
請求項３に係る発明によれば、ゲル化反応により試料中の目的物質を測定するに当たり、ゲル化反応を均一に且つ安定的に生じさせながら、ゲル粒子を生成することが可能になることから、ゲル粒子の生成状態を正確に計測することができる。
請求項４に係る発明によれば、ゲル化反応により試料中の目的物質を測定するに当たり、光検出手段にて試料及び試薬からなる混合溶液の透過光を検出し、この検出出力に基づいてゲル粒子の生成状態を判別するようにしたので、光検出手段にて散乱光を検出する方式に比べて、ゲル粒子の生成状態を高感度に計測することができる。
請求項５に係る発明によれば、光検出手段での検出精度をより向上させることができ、その分、ゲル粒子の生成状態を高感度に計測することができる。
請求項６に係る発明は、ゲル化反応により試料中の目的物質を測定するに当たり、温度の変化に伴うゲル化反応への影響を有効に抑えることができる。
【発明を実施するための最良の形態】
【００１３】
◎実施の形態の概要
図１（ａ）は本発明が適用された実施の形態に係るゲル粒子生成器具の概要を示す説明図である。
同図において、ゲル粒子生成器具１１は、ゲル化反応によって試料中の目的物質を粒子化して測定するゲル粒子測定装置に用いられ、ゲル粒子を生成するものであって、試料Ｓが注入収容されると共に少なくとも一部に光が透過する透過部を有する筒状の試料セル１と、この試料セル１内に予め収容され且つ試料Ｓ中の目的物質と反応してゲル化する試薬２と、前記試料セル１に予め収容され且つ注入された試料Ｓ及び前記試薬２からなる混合溶液Ｗ（図１（ｂ）参照）全体がゲル化するのを抑制するように前記混合溶液Ｗを撹拌する撹拌部材３と、前記試料セル１内に前記試薬２及び前記撹拌部材３が収容された状態で前記試料セル１の開口を密封すると共に密封後に試料セル１内に試料Ｓが注入可能な密封部材４とを備え、試料セル１内に試料Ｓが注入された時点で撹拌部材３による撹拌動作を開始し、前記混合溶液Ｗ全体がゲル化するのを抑制した状態でゲル粒子を生成させるようにしたものである。
【００１４】
このような技術的手段において、本件の目的物質は、所定の試薬２との間でゲル化反応し、ゲル粒子が生成されるものであれば広く含む。例えばエンドトキシンやβ−D−グルカンが挙げられるが、これ以外に、血液の凝固反応や抗原抗体反応もゲル化反応に相当するものであるから、これらのゲル化反応に至る試料Ｓ中の成分も本件の目的物質になり得る。
また、試料セル１は、全てが透過性部材で構成されていてもよいが、これに限られるものではなく、光が透過する部分に少なくとも透過部を有していればよい。その構成材料としては、ガラスであってもよいし、樹脂であってもよい。また、その形状についても断面円形、矩形を始めとする多角形等適宜選定して差し支えなく、断面形状も全て均一である必要は必ずしもなく、一部にくびれ部などを設けて差し支えない。
更に、試薬２としては、試料Ｓ中の目的物質との間でゲル化反応（凝集反応）を起こすものであれば適宜選定して差し支えなく、凍結乾燥粉末などの固体でもよいし、液体でもよい。
更にまた、撹拌部材３としては、試料セル１内に内蔵され、試料Ｓ及び試薬２からなる混合溶液Ｗに対して撹拌作用を与えるものであれば広く含む。例えば磁性を有する撹拌棒を用い、外部にこれを駆動するための撹拌駆動手段１２（図１（ｂ）参照）を設けるようにすればよい。
【００１５】
また、密封部材４は試料セル１内に、撹拌部材３及び試薬２を収容した状態で密封するものであればよく、例えばゴム等の栓材が広く用いられる。
そして、試料セル１への試料Ｓの注入については、例えば注入器等を使用して密封部材４に針を刺し、所定量の試料Ｓを注入するようにすればよい。この場合、試料Ｓ注入後は密封部材４の微小孔はその弾性変形にて塞がれることから、密封部材４の密封性は良好に保たれる。
更に、ゲル粒子生成器具１１の好ましい態様としては、試料セル１の開口縁に取り付けられて密封部材４を保持する保持カバー５を有するものが挙げられる。
ここで、保持カバー５としては、試料セル１に対して着脱自在とし、密封部材４から試料Ｓを注入する際に試料セル１から一旦取り外すようにしてもよいが、試料Ｓの注入操作性を簡易に行うという観点からすれば、一部に密封部材４に面して孔部５ａを有し、保持カバー５を取り外すことなく、前記孔部５ａを利用して試料Ｓを注入することが好ましい。
【００１６】
また、図１（ｂ）は本発明が適用された実施の形態に係るゲル粒子測定装置の概要を示す説明図である。
同図において、ゲル粒子測定装置は、ゲル化反応によって試料Ｓ中の目的物質を粒子化して測定するものであって、予め決められた測定ステージに配設され且つ試料セル１内に試料Ｓが注入されたゲル粒子生成器具１１と、前記測定ステージのうち試料セル１外部に設けられ、試料セル１内の撹拌部材３を回転させることで試料Ｓ及び試薬２からなる混合溶液Ｗ全体がゲル化するのを抑制するように前記混合溶液Ｗを撹拌する撹拌駆動手段１２と、前記試料セル１の透過部の外部に設けられ、前記試料セル１内の試料Ｓ及び試薬２からなる混合溶液Ｗに対してコヒーレントな光を照射させるコヒーレント光源１３と、このコヒーレント光源１３からの光Ｂｍのうち前記試料セル１内の試料Ｓ及び試薬２からなる混合溶液Ｗを通過した光Ｂｍを検出する光検出手段１４と、この光検出手段１４の検出出力に基づいて光変動成分を計測する光変動計測手段１５と、この光変動計測手段１５の計測結果に基づいて前記混合溶液Ｗ内のゲル粒子の生成状態を判別するゲル粒子生成判別手段１６とを備えたものである。
【００１７】
このような技術的手段において、ゲル粒子生成器具１１としては上述した態様のものが用いられる。
また、撹拌駆動手段１２としては、ゲル粒子生成器具１１の撹拌部材３を駆動するものが必要であり、例えば撹拌部材３が磁性を有する撹拌棒であれば、回転磁石を回転させることで前記撹拌棒に回転力を与えるようにする方式が挙げられる。ここで、撹拌駆動手段１２による撹拌部材３の撹拌の程度は、試料セル１内の試料Ｓ及び試薬２からなる混合溶液Ｗ全体がゲル化するのを抑制するものであることを要する。
更に、コヒーレント光源１３はコヒーレントな光を照射するものであればレーザ光源によるレーザ光に限られず、例えばナトリウムランプの光のような単色光をピンホールに通すことによっても作成可能である。
更にまた、光検出手段１４としては、コヒーレント光源からの光のうち試料Ｓ及び試薬２からなる混合溶液Ｗを通過し、混合溶液Ｗ中で生成されたゲル粒子を透過した透過光又はゲル粒子にて散乱された散乱光を検出するものであればよい。
また、光変動計測手段１５は光検出手段１４の検出出力に基づいて光の変動成分を計測するものであり、例えば検出出力を平均化又はスムージングすると共にフィルタリング化する手法が挙げられる。
更に、ゲル粒子生成判別手段１６としては、ゲル粒子の生成状態を判別するものを広く含む。
ここで、ゲル粒子の生成状態とは、ゲル粒子の生成開始（出現）時点、生成過程の変化、生成終了時点、生成量などを広く含むものである。
そして、「ゲル粒子の生成状態を判別する」とは、ゲル粒子の生成状態に関する情報を直接判別することは勿論、ゲル粒子の生成状態に基づいて判別可能な情報（例えば目的物質の定量情報）を判別することも含むものである。
特に、ゲル粒子の生成開始時点を判別するには、光変動計測手段１５の計測結果に基づいて光の減衰変化点がゲル粒子の出現タイミングと判別するようにすればよい。
【００１８】
また、ゲル粒子生成器具１１の配設箇所については、測定条件を一定に保つという観点からすれば、試料セル1全体が予め決められた一定の温度に保たれるように温度調節可能な温度調節手段１８を備える態様が好ましい。
ここで、温度調節手段１８としては例えば恒温槽が挙げられる。
更に、光検出手段１４としては、コヒーレント光源１３からの光のうち試料Ｓ及び試薬２からなる混合溶液Ｗ中を透過する透過光を主として検出するものが好ましい。
この透過光検出方式は、散乱光検出方式に比べて以下の利点を有する。
（１）透過光成分は散乱光成分よりもともと多い。つまり、光検出手段１４が透過光検出方式を採用した態様では、ゲル粒子で散乱した散乱光の一部が迷光として光検出手段１４に検出される可能性があるが、検出出力の大部分が透過光成分であることから、迷光成分が一部に含まれていても影響が少ない。
（２）試料セル１の容器構造として、散乱光検出方式では、減衰の少ない容器厚の薄い特殊な容器構造を採用することを要するが、透過光検出方式ではこのような制約はない。
（３）コヒーレント光源１３のレイアウトの設置精度については、透過光検出方式の方がラフでよい。
【００１９】
特に、透過光検出方式を採用する際の好ましい態様としては、光検出手段１４と試料セル１との間には、ゲル粒子で散乱した位相のずれた散乱光のうち光検出手段１４に向かう成分が除去される散乱光除去手段１７を備えている態様が挙げられる。
ここで、散乱光除去手段１７の代表的態様としては、散乱光成分をカットして透過光成分のみを通過させる偏光フィルタが挙げられる。
そして、光検出手段１４が透過光検出方式を採用した態様では、ゲル粒子で散乱した散乱光の一部が迷光として光検出手段１４に検出される可能性があるが、迷光成分による影響を回避するという観点からすれば、光変動計測手段１５にて補正することも考えられるが、本態様であれば、簡単な構成で迷光成分を確実に除去する点で好ましい。
また、光変動計測手段１５による計測結果を目視するという観点からすれば、光変動計測手段１５による計測結果が表示される表示手段１９を備えていることが好ましい。
【００２０】
次に、図１（ａ）に示すゲル粒子生成器具の作動について説明する。
先ず、ゲル化反応を図２（ａ）に模式的に示す。
同図において、試料Ｓの目的物質Ｓｔに対し特異的に反応する試薬２が存在すると、試料Ｓ中の目的物質Ｓｔの濃度に依存した割合にて、その目的物質Ｓｔが試薬２と特異的に反応する現象が起こる。この反応過程において、試薬２は、目的物質Ｓｔの刺激を受けて所定の因子が活性化し、これに起因して所定の酵素が活性化するタイミングで例えば水溶性のタンパク質が酵素による分解反応にて不溶性のタンパク質に転換し、ゲル粒子Ｇの出現に至ることが起こる。
より具体的には、エンドトキシンを例に挙げて、エンドトキシンのゲル化反応過程を模式的に示すと、図３の通りである。
同図において、（１）に示すエンドトキシンの刺激がリムルス試薬に伝わると、先ず（２）に示すように、因子Ｃ（Factor C）が活性化されて活性化因子Ｃ（Activated Factor C）となり、次いで、活性化因子Ｃの作用により、（３）に示すように、因子Ｂ（Factor B）が活性化されて活性化因子Ｂ（Activated Factor B）になる。この後、活性化因子Ｂの作用により、（４）に示すように、Pro-Clotting酵素がClotting酵素になり、（５）に示すように、このClotting酵素がCoagulogen（水溶性タンパク質）を分解してCoagulin（不溶性タンパク質）に生成する。このCoagulin（不溶性タンパク質）は撹拌により全体のゲル化が阻害されるとゲル粒子Ｇとして出現し、静置すると（６）に示すように、重合化・ゲル化する。
つまり、試料Ｓの目的物質Ｓｔがエンドトキシンである場合には、混合溶液Ｗに対して一定の撹拌状態を与えることで混合溶液Ｗ全体のゲル化を阻害しつつ、この状態で、リムルス試薬２にエンドトキシンの刺激が伝わると、Clotting酵素の周りにCoagulin（不溶性タンパク質）のゲル粒子Ｇを産出させることが可能であり、Coagulin（不溶性タンパク質）がゲル粒子Ｇとして生成された後に、ゲル粒子Ｇが順次生成される反応過程を経ることが理解される。
また、リムルス試薬２にエンドトキシンの刺激が伝わる速度（リムルス反応速度）はエンドトキシン濃度に依存的であり、エンドトキシン濃度が高い程リムルス反応速度が速く、Coagulin（不溶性タンパク質）からなるゲル粒子Ｇの出現タイミングが早いことが見出された。
よって、光変化（例えば透過光変化）を精度良く検出するようにすれば、ゲル粒子Ｇの生成開始点として前記Coagulin（不溶性タンパク質）からなるゲル粒子Ｇの出現タイミングを把握することは可能であり、本実施の形態に係るゲル粒子測定装置の測定原理の基本である。
このようなゲル粒子測定装置の測定原理は、例えば従前のゲル化法や比濁時間分析法の測定原理（リムルス試薬２による反応過程において、静置した条件下、活性化された酵素の影響で最終的にゲル化するに至り、このゲル化した状態を濁度により測定する態様）とは全く相違するものである。
【００２１】
ここで、例えば透過光検出方式を用いたゲル粒子測定装置の測定原理を図２（ｂ）に模式的に示す。
本実施の形態のゲル粒子測定装置では、図２（ｂ）の工程Ｉに示すように、試料Ｓ及び試薬（図示せず）からなる混合溶液Ｗにゲル粒子がない場合には、図示外のコヒーレント光源から透過光Ｂｍ１はゲル粒子によって遮られることがないため、その透過光Ｂｍ１の透過光度は略一定に保たれる（図２（ｃ）Ｉ工程Ｐ１参照）。
そして、図２（ｂ）の工程IIに示すように、試料Ｓ及び試薬（図示せず）からなる混合溶液Ｗにゲル粒子Ｇが生成開始し始めた場合、例えばエンドトキシンの場合のCoagulin（不溶性タンパク質）のゲル粒子Ｇが産出し始めると、図示外のコヒーレント光源から透過光Ｂｍ２は産出されたCoagulin（不溶性タンパク質）からなるゲル粒子Ｇの存在によって一部遮られるため、その透過光Ｂｍ２の透過光度は略一定のレベルから減衰傾向に変化しようとする（図２（ｃ）II工程Ｐ２参照）。
この後、図２（ｂ）の工程IIIに示すように、試料Ｓ及び試薬（図示せず）からなる混合溶液Ｗにゲル粒子Ｇの生成が次第に進行していく場合には、図示外のコヒーレント光源から透過光Ｂｍ３は順次生成される多くのゲル粒子Ｇの存在によって遮られるため、その透過光Ｂｍ３の透過光度は減衰変化点Ｐ２を境に順次減衰していく（図２（ｃ）III工程Ｐ３参照）。
【００２２】
以下、添付図面に示す実施の形態に基づいてこの発明をより詳細に説明する。
◎実施の形態１
本実施の形態１に係るゲル粒子測定装置は、ゲル粒子生成器具１００（図４参照）を有し、例えば試料の目的物質としてのエンドトキシンの濃度をリムルス試薬を用いたゲル化反応にて測定するものである。
―ゲル粒子生成器具―
本実施の形態において、ゲル粒子生成器具１００は、例えば図４（ａ）（ｂ）に示すように、エンドトキシンを含む試料が注入される試料セル１０１を有する。
この試料セル１０１は、例えばガラス材料にて一体的に成形され且つ上部が開口した横断面円形の有底の筒体からなり、その上部にフランジ部１０２を形成すると共に、このフランジ部１０２の下部にくびれ部１０３を形成し、フランジ部１０２及びくびれ部１０３には小径孔部１０４を形成し、この小径孔部１０４より大径の大径空間部１０５を内部に形成したものである。
そして、この試料セル１０１内には、エンドトキシンを含む試料とゲル化反応を生ずる試薬１０６が例えば凍結乾燥粉末状にて予め無菌的に収容されると共に、磁性材料を用いた撹拌棒１０７が予め収容される。
更に、この試料セル１０１の小径孔部１０４にはゴム等の弾性材料からなる密封栓１０８が嵌め込まれている。この密封栓１０８は断面略Ｔ字状に成形されており、その頭部１０８ａが試料セル１０１のフランジ部１０２に載置され、その脚部１０８ｂが小径孔部１０４に密接した状態で挿入されている。尚、密封栓１０８の脚部１０８ｂの一部には切欠１０８ｃが設けられている。
更にまた、試料セル１０１のフランジ部１０２及び密封栓１０８の頭部１０８ａは例えばアルミニウム製のキャップ状の保持カバー１０９で覆われ、この保持カバー１０９は試料セル１０１のフランジ部１０２の周壁に嵌り込み、密封栓１０８を外側から抱き込み保持するようになっている。そして、この保持カバー１０９の例えば中央には密封栓１０８の頭部１０８ａに面して孔部１０９ａが形成されている。
【００２３】
この種のゲル粒子生成器具１００は、図４及び図５に示すように、試料セル１０１の小径孔部１０４を開放した状態で試薬１０６及び撹拌棒１０７を収容し、この状態で、試料セル１０１の小径孔部１０４を密封栓１０８で密封すると共に、この密封栓１０８を保持カバー１０９で覆うようにしたものである。
このようなゲル粒子生成器具１００は、ゲル粒子測定装置の付属品や測定キットとしてユーザーに供給される。
そして、本態様のゲル粒子生成器具１００の試料セル１０１への試料Ｓの導入法としては、例えば保持カバー１０９の孔部１０９ａを利用して密封栓１０８に注射針のような穿孔具にて穿孔し、この穿孔を通じて注入器１１０にて試料Ｓを注入するようにしたものが挙げられる。更に、試料Ｓの導入を容易に行うため、試料セル１０１内が大気圧に対して所定の負圧レベルを保つように密封栓１０８の密封仕様を設定してもよい。
【００２４】
―ゲル粒子測定装置―
本実施の形態において、ゲル粒子測定装置は図６（ａ）（ｂ）に示すように構成されている。
同図において、ゲル粒子生成器具１００は、予め決められた測定ステージに設置されるが、本実施の形態では、恒温槽１１５内に配置されて試料Ｓ及び試薬（図示せず）からなる混合溶液Ｗを一定の恒温環境（例えば３７℃）下におき、測定条件を一定にするようになっている。
また、符号１２０は試料セル１０１内の混合溶液Ｗを撹拌するために試料セル１０１内の磁性撹拌棒１０７を駆動する撹拌駆動装置であり、例えば混合溶液Ｗに対して一定の撹拌状態を与え、混合溶液Ｗを均一に撹拌しながら混合溶液Ｗ全体がゲル化するのを抑制するようになっている。
特に、本例では、撹拌駆動装置１２０は、試料セル１００内の底壁に内蔵された磁性体からなる撹拌棒（スターラーバー）１０７に対して磁力による撹拌力を作用させる撹拌駆動源（マグネチックスターラー）として構成されている。
【００２５】
更に、符号１３０は試料セル１０１の側周壁の一方側に設けられ且つコヒーレントな光を照射するレーザ光源であり、１４０は試料セル１０１を挟んでレーザ光源１３０の反対側に設けられてレーザ光源１３０からの透過光Ｂを検出する透過光検出器である。この透過光検出器１４０としては例えばフォトダイオードなどの光学部品を広く用いることができる。
本実施の形態では、レーザ光源１３０からのコヒーレントな光Ｂｍは、図６（ｂ）に示すように、試料セル１０１の略直径部分を横切る経路に沿って照射されており、その光径は生成されるゲル粒子径（例えば０.５〜２０μｍ程度）に対して十分に大きい値（例えば１ｍｍ程度）に設定される。
一方、透過光検出器１４０はレーザ光源１３０からの透過光Ｂｍの光束領域を検出可能な検出面を有し、透過光検出器１４０の検出精度は、透過光Ｂｍの通過面積内に存在する１ないし数個のゲル粒子の有無による透過光量変化を検出可能な程度に設定される。
更に、本実施の形態では、試料セル１０１と透過光検出器１４０との間に偏光フィルタ１５０が配設されている。この偏光フィルタ１５０は、レーザ光源１３０からの光Ｂｍのうち混合溶液Ｗ内にて生成されたゲル粒子Ｇによって散乱した散乱光で透過光検出器１４０に向かう成分の迷光を除去するものである。この偏光フィルタ１５０による迷光除去原理は、レーザ光源１３０からのコヒーレントな光Ｂｍがゲル粒子Ｇで散乱すると、その散乱光の位相がずれることを利用し、透過光Ｂｍの位相以外の位相成分の迷光成分をカットするようにしたものである。
尚、レーザ光源１３０、透過光検出器１４０と試料セル１０１との間には光路や照射光径を決定する上で必要に応じて集光レンズ、ミラー等の光学部品を配置してもよいことは勿論である。
【００２６】
符号１６０は透過光検出器１４０からの検出出力を取り込み、例えば図７に示すデータ解析処理を実行するデータ解析装置、１７０はデータ解析装置１６０で解析された解析結果を表示するディスプレイである。
このデータ解析装置１６０はＣＰＵ、ＲＯＭ、ＲＡＭ、Ｉ／Ｏインターフェースなどを含むコンピュータシステムにて構成されており、例えばＲＯＭ内に図７に示すデータ解析処理プログラムを予め格納しておき、透過光検出器１４０からの検出出力に基づいてＣＰＵにてデータ解析処理プログラムを実行するものである。
尚、透過光検出器１４０からの検出出力は例えば図示外の増幅器により電流電圧変換された後、ＡＤ変換器によりＡＤ変換され、データ解析装置１６０に取り込まれる。
【００２７】
次に、本実施の形態に係るゲル粒子測定装置の作動について説明する。
本実施の形態において、図６（ａ）（ｂ）に示すゲル粒子生成器具１００の試料セル１０１にエンドトキシンを含む試料Ｓを注入した後、図示外のスタートスイッチをオン操作すると、ゲル粒子測定装置による測定シーケンスが開始される。
この測定シーケンスは、撹拌駆動装置１２０にて撹拌棒１０７が回転され、試料セル１０１内の試料Ｓ及びリムルス試薬からなる混合溶液Ｗを撹拌する。このため、混合溶液Ｗ全体が均一に撹拌されると共に、混合溶液Ｗ全体としてはゲル化することが抑制される。
更に、測定シーケンスは、レーザ光源１３０から光Ｂｍを照射し、試料セル１０１内の混合溶液Ｗを通過した透過光Ｂｍを透過光検出器１４０にて検出すると共に、透過光検出器１４０の検出出力をデータ解析装置１６０に取り込む。
【００２８】
一方、試料セル１０１内では、リムルス試薬にエンドトキシンの刺激が伝わり、図３に示すようなリムルス反応が起こり、混合溶液Ｗ全体のゲル化が抑制された状態で、ゲル粒子Ｇが順次生成されていく。
本実施の形態では、レーザ光源１３０からの光Ｂｍの通過面積内にゲル粒子Ｇが例えば１個生成されたタイミングがゲル粒子Ｇの生成開始点として把握されており、透過光Ｂｍの減衰変化点のタイミングになるものである。
このような反応過程において、データ解析装置１６０は、例えば図７に示すように、透過光検出器１４０からの検出出力を透過光量データ（デジタルデータ）として読み込んだ後、平均化・フィルタリング化処理を行って透過光量データの変動成分を計測する。
次いで、透過光量データの変動成分に基づいて透過光Ｂｍの減衰変化点（図２のＰ２に相当）を抽出し、予め規定されている検量線を参照することによって試料Ｓのエンドトキシン濃度（ＥＴＸ濃度）を決定し、ディスプレイ１７０に表示する。
本例では、検量線は、エンドトキシン濃度（ＥＴＸ濃度）と透過光Ｂｍの減衰変化点に至るまでの時間閾値との関係を示すものであり、透過光Ｂｍの減衰変化点の時間と検量線との相関に基づいてエンドトキシン濃度（ＥＴＸ濃度）が決定される。また、ディスプレイ１７０にはエンドトキシン濃度（ＥＴＸ濃度）以外に、透過光量データの時系列データ、透過光量データの変動成分の時系列計測データなどのデータが切り換え表示されるようになっている。
尚、検量線の作成法については後述する実施例にて具体例を示す。
【００２９】
このように、本実施の形態においては、ゲル粒子測定装置は、試料Ｓ及びリムルス試薬からなる混合溶液Ｗを所定の恒温環境下で撹拌し、混合溶液Ｗ中に産生するCoagulin粒子からなるゲル粒子Ｇの出現によって透過光Ｂｍが一部遮られて減光することを検出し、ゲル化の開始時期を捉えようとするものである。
特に、本例では、透過光検出器１４０の検出精度を高感度にするため、レーザ光というコヒーレントで強い光を利用し、また、微細な変化を検出するために、低濃度での変化では特に散乱した迷光がCoagulin粒子からなるゲル粒子Ｇに当たって位相がずれることを利用し、偏光フィルタ１５０にて迷光成分が除去されることから、透過光検出器１４０にはレーザ光源１３０からの透過光成分だけが入射することになり、その分、透過光変化が正確に検出される。
【００３０】
◎比較の形態
また、本実施の形態に係るゲル粒子測定装置の性能を評価する上で図８（ａ）（ｂ）に示す比較の形態に係るゲル粒子測定装置と対比する。
同図において、比較の形態に係るゲル粒子測定装置は、ゲル粒子生成器具２００（試料セル２０１内に試薬、撹拌棒２０７を予め収容した態様）の試料セル２０１内にエンドトキシンを含む試料Ｓを注入し、これらの混合溶液Ｗを撹拌駆動装置２２０にて駆動される撹拌棒２０７にて撹拌すると共に、レーザ光源２３０からの光Ｂｍ’を混合溶液Ｗ内に照射し、リムルス反応にて生成されるゲル粒子Ｇにて側方に散乱した散乱光の一部を光検出器２４０にて検出し、この光検出器２４０の検出出力をデータ解析装置２６０に取り込み、ゲル粒子Ｇの産生時期を演算処理するものである。
この比較の形態に係るゲル粒子測定装置によれば、もともと散乱光は透過光に比べて割合が少なく、その一部しか計測できないため、出来る限り散乱光の減衰を抑えることが必要になる。そこで、この比較の形態にあっては、散乱光の減衰を防ぐために、厳密な光学回路が必要で、図８（ｂ）に示すように、試料セル２０１の混合溶液Ｗの表面で直角な位置関係となる入射、散乱反射角度を得るようにレーザ光源２３０及び光検出器２４０を設置し、散乱光を計測することが必要であった。このため、試料セル２０１も減衰の少ない容器厚ｋの薄い特殊な容器構造を採用しなければならず、また、レーザ光源２３０、光検出器２４０の設置精度を極めて高くせざるを得ない。
この点、本実施の形態では、透過光成分は多くもともと確保することができるばかりか、試料セル１０１の容器構造として特に特殊な構造を施さずに、容器厚の厚い丈夫なものを使用することができ、また、試料セル１０１に対するレーザ光源１３０、透過光検出器１４０の設置も試料セル１０１の略直径方向に向けて直線上に対向させればよく、試料セル１０１の交換に伴う設置精度をある程度ラフにすることも可能である。
【００３１】
◎変形形態
本実施の形態では、一検体（試料Ｓ）分のゲル粒子生成器具１００に対するゲル粒子測定装置を示しているが、複数の検体（試料）を同時に処理するという要請下では、例えば複数のゲル粒子生成器具１００の試料セル１０１を一体化したマルチ試料セルを用意し、各試料セルに対応して夫々レーザ光源１３０、透過光検出器１４０を配置し、複数の検体（試料）を同時に測定できるようにすればよい。
更に、実施の形態１では、測定対象の物質をエンドトキシンとするものが開示されているが、これに限られるものではなく、例えば同じ測定ハードウェアで、かつ、同様ないしは類似のリムルス試薬を用い、測定対象の物質をβ−D−グルカンとすることも可能である。
【実施例】
【００３２】
◎実施例１
本実施例は、実施の形態１に係るゲル粒子測定装置をより具現化したものである。
ここで、実施例の条件は以下の通りである。
・レーザ光源１３０：赤色光又は緑色光
・透過光検出器１４０：フォトダイオード
・撹拌棒（スターラーバー）１０７の回転数：１０００rpm
・恒温条件：３７℃
本実施例では、様々なエンドトキシン濃度（１０・１・０．１pg/ml）を添加したときのリムルス試薬に対して、ゲル粒子測定装置で透過光度の変化を調べたものである。
図９は、１０pg/mlは２回、１pg/ml、０．１pg/mlの夫々の時間経過を追った透過光度をプロットしたものである。
同図において、各条件の透過光度の変化は、いずれも略一定のレベルを維持する部分がある時間になって減衰低下する傾向を示している。この透過光度の減衰変化点はゲル粒子の生成開始点（ゲル化開始時間）に相当し、ゲル化開始時による減光を意味するものと想定される。
このゲル化開始時を求めるため、本実施例では、図９のグラフにおいて、マニュアルで、一定透過光度の部分を近似した直線と透過光度が減衰傾斜していく変化部分を近似した直線との交点を求め、夫々ゲル化開始時間（反応時間）ｔ１(10)、ｔ２(10)、ｔ(1)、ｔ(0.1)を求めた。
本例では、１０pg/ml：ｔ１(10)＝１６（min.）
ｔ２(10)＝１９（min.）
１pg/ml：ｔ(1)＝２８（min.）
０．１pg/ml：ｔ(0.1)＝７０（min.）
であった。
【００３３】
ちなみに、和光純薬工業株式会社製の比濁時間分析法を採用したエンドトキシンキット（ゲル化反応測定装置）を用い、エンドトキシン濃度とゲル化時間とを調べたところ、以下のような結果が得られた。
エンドトキシン濃度（pg/ml）           ゲル化時間（min.）
０．１                            １２３．７
０．５                              ５６．３
１．０                              ４１．８
１０．０                              １８．０
【００３４】
更に、本実施例では、図９のグラフから求めたゲル化開始時間ｔ１(10)、ｔ２(10)、ｔ(1)、ｔ(0.1)の値を用いて検量線を作成するようにした（図１０参照）。
本実施例の検量線は、Ｘ軸をエンドトキシン濃度であるＥＴＸ濃度（log変換）、Ｙ軸をゲル化開始時間（log変換）とすると、直線関係が得られ、相関係数−０．９８０４という高い相関が示され、この検量線の有用性が証明される。
【００３５】
◎実施例２
本実施例は、実施の形態１に係るゲル粒子測定装置をより具現化したものである。
ここで、実施例の条件は実施例１と同様以下の通りである。
・レーザ光源１３０：赤色光又は緑色光
・透過光検出器１４０：フォトダイオード
・撹拌棒（スターラーバー）１０７の回転数：１０００rpm
・恒温条件：３７℃
特に、本実施例では、様々なエンドトキシン濃度（１０−１、１０−２、１０−３、１０−４、１０−５unit（但し、１pg＝７×１０−３unit））を添加したときのリムルス試薬に対して、ゲル粒子測定装置で透過光度の変化を調べたものである。
図１１は、夫々のエンドトキシン濃度につき２回の夫々の時間経過を追った透過光度をプロットしたものである。尚、図１１において、エンドトキシン濃度１０−１（◇）のデータは他のデータに重なっているため、目視できない状態である。
更に、本実施例では、図１１のグラフから求めたゲル化開始時間の値（本例ではエンドトキシン濃度１０−１、１０−２、１０−３、１０−４unitのデータを使用）を用いて検量線を作成したところ、図１２に示す結果が得られた。
本実施例の検量線は、Ｘ軸をエンドトキシン濃度であるＥＴＸ濃度（log変換）、Ｙ軸をゲル化開始時間（log変換）とすると、直線関係が得られ、相関係数  ―０．９９３  という高い相関が示され、この検量線の有用性が証明される。
特に、本実施例では、エンドトキシン濃度が低い箇所での検量線が正確に得られることが確認された。
【００３６】
◎実施例３
実施の形態１で用いられるゲル粒子生成器具１００を用い、ゲル粒子の生成状態の一例を図１３に示す。
同図において、No.１は、本実施例に係るゲル粒子生成器具に試薬と水からなる混合溶液を撹拌棒にて予め決められた時間（  約２０分  ）撹拌した状態を示す。No.２は、本実施例に係るゲル粒子生成器具に試薬とエンドトキシン濃度が１０pg／mlからなる混合溶液を撹拌棒にて予め決められた時間撹拌した状態を示す。No.３（比較例）は、No．２と同様な混合溶液を比濁時間法を用いて計測した状態を示す。
このとき、本実施例のゲル粒子生成器具によるゲル粒子の生成状態は、比較例の溶液全体がゲル化したものに比べてより濁度の高いゲル粒子が出現していることが理解される。尚、No．２では、ゲル粒子が混合溶液の下方側に偏っているが、これは撮影する際に撹拌棒の回転を停止させたために、生成されたゲル粒子が沈殿したものと思料される。
【産業上の利用可能性】
【００３７】
本発明は、リムルス試薬を用いたエンドトキシンやβ−D−グルカンなどを測定対象とするゲル粒子測定装置を始め、ゲル化反応によってゲル粒子が生成可能な目的物質を測定対象とする測定装置に広く適用される。
例えば血液凝固反応や抗原抗体反応において適用することが可能である。
―血液凝固反応（図１４）―
血漿中のプロトロンビンは、様々な血液凝固因子の活性化を経てトロンビンとなり、フィブリンが凝集する。
この点について補足すると、血漿の凝固系は、以下の開始期、増幅期、伝播期を経て進行する。
＜開始期＞
（外因性経路）
血液凝固カスケードにおいて、細胞が傷害を受けると、組織因子が第VIIa因子（第VII因子が活性化したもの）と結合する。
ここで、第VIIa因子は第IX因子を活性化して第IXa因子とする。また、第IXa因子は第X因子を活性化して第Xa因子とする。
（内因性経路）
血液が負に帯電した固体（例えば、岩石や砂）に触れると、プレカリクレインと高分子量キニノゲンが第XII因子を活性化し、第XIIa因子とする。また、第XIIa因子は第XI因子を活性化して第XIa因子とする。また、第XIa因子は第IX因子を活性化して第IXa因子とする。
＜増幅期＞
トロンビンは第XI因子を活性化して第XIa因子とする。第XIa因子は第IX因子を活性化して第IXa因子とする。また、トロンビン自体も第V因子と第VIII因子を活性化させてそれぞれ第Va因子、第VIIIa因子とする。さらにトロンビンは血小板を活性化して、第XIa因子、第Va因子、第VIIIa因子を血小板表面に結合させる。
＜伝播期＞
血小板表面に結合した第VIIIa因子と第IXa因子は第X因子を活性化して血小板表面に結合させる。また、血小板表面に結合した第Xa因子と第XIa因子はプロトロンビンを次々とトロンビンに変化させる。更に、大量のトロンビンが血漿中のフィブリノーゲンを分解してフィブリンモノマーにする。フィブリンモノマーは第XIII因子によって架橋されてフィブリンポリマーとなり、他の血球を巻き込んで血餅（かさぶた）となる。
【００３８】
これは生体においては血液凝固で傷口をふさぐなど有用な反応であるが、一方微小な凝集塊が血流中に発生すると、血栓となり様々な微小血管をふさいで脳梗塞・心筋梗塞・肺塞栓など重篤な臨床症状を引き起こす。よって、臨床的に‘凝集の起こしやすさ’を求めることは、この発生を予知する上で重要なこととなる。従来凝集時間の延長は、‘血が止まらない’という心配のもとに測られていたが、‘血が固まりやすい’ことは測る方法が確立されていない。それを適当な希釈された血漿と、一定量の凝集を促進する試薬（例えばＡＤＰ・コラーゲン・エピネフリンなど）と混合することで、凝集の程度を測ることが、この粒子計測の方法で可能と予想される。
このため、本例では、試料セル１０１内に磁性撹拌棒１０７と共に、一定量のＡＤＰ等を無菌的に入れて、凍結乾燥などの処理を行ったゲル粒子生成器具１００を作成することで、臨床現場において適宜に希釈した血漿を、上部の密封栓１０８を通して導入し、凝集塊の発生時間を実施の形態１と同様なゲル粒子測定装置で測ることで、凝集能の程度を測ることが可能となる。
【００３９】
―抗原抗体反応（図１５）―
図１５（ａ）に示すように、様々な抗原３００に対する特異抗体３１０は、会合することで不溶性の沈殿としてその抗原３００の不活性化を促し、生体の防御作用を担っている。一方この現象を利用して、特異抗体３１０をあらかじめ用意しておけば、発生する沈殿は存在する抗原３００の量に比例することから、様々な抗原３００を定量する方法が考案されている。しかし、沈殿させる（または抗原抗体の会合を促進する）には時間がかかるため、様々な検出法や鋭敏な検出装置が開発されてきた。抗原抗体反応の沈殿形成をゲル化の粒子形成と捉えると、粒子を安定に形成させ、それを計測するゲル粒子測定装置及びゲル粒子生成器具は応用可能と考えられる。
とりわけ、図１５（ｂ）に示すように、抗体３３０を樹脂等のミクロビーズ３２０等に結合させ、そのビーズ表面にて抗原３００との間で抗原抗体反応を起こさせるタイプの検出反応には、粒子形成のパターンが変化することで捉えることは容易であり、その方法にも応用できる。
そのため、ゲル粒子生成器具１００の試料セル１０１には、磁性撹拌棒１０７と共に、一定量の抗体３３０またはミクロビーズ３２０に結合させた抗体溶液を無菌的に入れておく。この場合、抗体３３０の活性を保持する必要から、凍結乾燥ではなく溶液として保存する方がよいと思われる。測定を行う場合には、一定に希釈した血漿など検液を、上部の密封栓１０８を通して導入し、抗原抗体反応による凝集塊の発生速度を、例えば実施の形態１のゲル粒子測定装置で測る。特に、ゲル粒子生成の速度として捉えるため、透過光の減少速度を計測する。
【００４０】
実施の形態１で示したエンドトキシン活性反応、血液凝固反応、抗原抗体反応の３つの使用方法で共通することは、水に均一に溶けている分子が会合し、不溶性の粒子になる反応を捉えて、定量しようとするものであるが、可溶性から不溶性になるとき、反応の偏り（反応の中心となる酵素などの廻りに反応分子が局部的に不足する）現象が生じる。正しく反応を進め、その速度を測るためには、この偏りが理論的には‘０（ゼロ）’でなければならない。その解決法が、‘撹拌する’ということになる。この測定法の中心は、溶液を均一に撹拌し、粒子形成を安定に行わせる事を意図したことにある。
【図面の簡単な説明】
【００４１】
【図１】（ａ）は本発明が適用されるゲル粒子生成器具の実施の形態の概要を示す説明図、（ｂ）は（ａ）に示すゲル粒子生成器具を用いたゲル粒子測定装置の実施の形態の概要を示す説明図である。
【図２】（ａ）はゲル化反応を模式的に示す説明図、（ｂ）はゲル化反応の進行工程Ｉ〜IIIを示す説明図、（ｃ）はゲル化反応の進行工程における反応時間と透過光度との関係を示す説明図である。
【図３】リムルス試薬を用いた際のエンドトキシンのゲル化反応過程を模式的に示す説明図である。
【図４】（ａ）は実施の形態１で用いられるゲル粒子生成器具を示す分解斜視図、（ｂ）はその断面説明図である。
【図５】実施の形態１で用いられるゲル粒子生成器具の構築方法及び試料の導入方法を示す説明図である。
【図６】（ａ）は実施の形態１に係るゲル粒子測定装置の正面説明図、（ｂ）は（ａ）中Ｂ方向から見た平面説明図である。
【図７】実施の形態１に係るゲル粒子測定装置のデータ解析処理の一例を示すフローチャートである。
【図８】（ａ）は比較の形態に係るゲル粒子測定装置の一例を示す説明図、（ｂ）は（ａ）中Ｂ方向から見た平面説明図である。
【図９】実施例１に係るゲル粒子測定装置を用いて様々なエンドトキシン濃度（ＥＴＸ濃度）について反応時間毎の透過光度を測定した結果を示すグラフ図である。
【図１０】図９に示すグラフ図を用いた検量線作成例を示す説明図である。
【図１１】実施例２に係るゲル粒子測定装置を用いて様々なエンドトキシン濃度（ＥＴＸ濃度）について反応時間毎の透過光度を測定した結果を示すグラフ図である。
【図１２】図１１に示すグラフ図を用いた検量線作成例を示す説明図である。
【図１３】実施例３に係るゲル粒子測定装置で用いられるゲル粒子生成器具でのゲル粒子の生成状態の一例を示す説明図である。
【図１４】血液凝固反応での本件発明の適用例を示す説明図である。
【図１５】（ａ）（ｂ）は抗原抗体反応での本件発明の適用例を示す説明図である。
【符号の説明】
【００４２】
１…試料セル，２…試薬，３…撹拌部材，４…密封部材，５…保持カバー，５ａ…孔部，１１…ゲル粒子生成器具，１２…撹拌駆動手段，１３…コヒーレント光源，１４…光検出手段，１５…光変動計測手段，１６…ゲル粒子生成判別手段，１７…散乱光除去手段，１８…温度調節手段，１９…表示手段，Ｓ…試料，Ｗ…混合溶液，Ｂｍ…光
【図１】
2010085276.tif 000003
【図２】
2010085276.tif 000004
【図３】
2010085276.tif 000005
【図４】
2010085276.tif 000006
【図５】
2010085276.tif 000007
【図６】
2010085276.tif 000008
【図７】
2010085276.tif 000009
【図８】
2010085276.tif 000010
【図９】
2010085276.tif 000011
【図１０】
2010085276.tif 000012
【図１１】
2010085276.tif 000013
【図１２】
2010085276.tif 000014
【図１３】
2010085276.tif 000015
【図１４】
2010085276.tif 000016
【図１５】
2010085276.tif 000017